(57)【特許請求の範囲】
【請求項１】
かご側に設けられた係合板と、乗場側に設けられた左右一対の係合ローラとを備え、エレベータが着床した時に係合しかごの戸と乗場の戸を一緒に開閉するエレベータドア係合装置の据付・点検時に用いられるものであって、
前記係合装置のかご側の係合板の構造を模擬しており、かつ前記左右一対の係合ローラが適正な基準位置範囲に入っているか否かを平面視で確認するための基準線が設けられた測定体を備え、
前記測定体に設けられた基準線は、前記測定体の両側部に設けられ、前記左右一対の係合ローラの外側面と前記係合板の内側面との間の隙間が適正な範囲にあるか否かを確認する片側２本ずつ縦方向に設けられた基準線と、前記測定体の両側の突出先端部に設けられ、前記左右一対の係合ローラと前記係合板との掛り代が適正な範囲にあるか否かを確認する片側１本ずつ横方向に設けられた基準線とからなり、
前記測定体をかごの上部又はかご敷居に着脱自在に取り付けた状態でかごを昇降させ、前記係合ローラの外側面が前記片側２本の基準線の間の中に入っていれば前記隙間が適正状態であり、前記片側１本の基準線が前記係合板の前後幅の中に入っていれば前記掛り代が適正状態であると確認することを特徴とするエレベータドア係合装置の据付点検治具。
【請求項２】
測定体の両側の突出先端部に設けられ、左右一対の係合ローラと係合板との掛り代が適正な範囲にあるか否かを確認する片側１本ずつ横方向に設けられた基準線に代えて、前記測定体の両側の突出先端部間に赤外線センサを設け、この赤外線センサの赤外線が係合ローラにより遮断されていれば、係合ローラと係合板との掛り代が適正状態であると確認することを特徴とする請求項１記載のエレベータドア係合装置の据付点検治具。
【請求項３】
測定体の両側の突出先端部に設けられ、左右一対の係合ローラと係合板との掛り代が適正な範囲にあるか否かを確認する片側１本ずつ横方向に設けられた基準線に代えて、前記測定体の両側の突出先端部間に通し紐を設け、この通し紐が係合ローラと干渉しなければ、係合ローラと係合板との掛り代が適正状態であると確認することを特徴とする請求項１記載のエレベータドア係合装置の据付点検治具。
【請求項４】
測定体の下部に磁石を設け、この磁石により前記測定体をかご上部又はかご敷居に着脱自在に取り付けることを特徴とする請求項１〜請求項３のいずれかに記載のエレベータドア係合装置の据付点検治具。
【請求項５】
測定体の下部に固定具を設け、この固定具に取り付けネジを締め込むことにより前記測定体をかご敷居の溝に固定することを特徴とする請求項１〜請求項３のいずれかに記載のエレベータドア係合装置の据付点検治具。
【請求項６】
測定体の下部に設けられる固定具は、樹脂又はアルミニウムにより形成されたことを特徴とする請求項５記載のエレベータドア係合装置の据付点検治具。
【発明の詳細な説明】
【技術分野】
【０００１】
この発明は、乗場の戸の係合ローラをかごの戸の係合板に係合して一緒に開閉するエレベータドア係合装置の据付点検治具に関するものである。
【背景技術】
【０００２】
従来、かごの戸の係合板と乗場の戸の係合ローラとの掛り代の点検を正確に、かつ安全に行えるエレベータドア係合装置の掛り代確認用治具として、係合板に着脱自在に装着されるとともに、あらかじめ定められる所定寸法の開口を有するコの字状の測定体と、この測定体の係合板と対向する面に備えられる磁石とで構成されたものがある（例えば、特許文献１参照）。
このエレベータドア係合装置の掛り代確認用治具は、掛り代点検時に、かごの戸の係合板へコの字状の測定体を磁石を介して装着し、係合板の端部と測定体の上面とを所定の寸法になるようにセットする。この状態で乗かごを昇降させる。このとき、かごの戸の係合板と乗場の戸の係合ローラとがそれぞれ正常な位置関係にある場合、係合ローラは測定体の開口間を通過する。一方、かごの戸の係合板と乗場の戸の係合ローラとがそれぞれ正常な位置関係にない場合、係合ローラは測定体に衝突し、この測定体をずらしたり、衝突音を発生する。これにより作業者は係合片と係合ローラとの掛り代が適切なものでないことを検知し、必要な調整作業を行う。
また、他の従来技術として、エレベータのケージシル上に取り付け可能で、かご側係合装置と同じギャップのくし部を有するエレベータ係合装置の芯出しやといが提案されている（例えば、特許文献２参照）。
【０００３】
【特許文献１】特開平９−１３６７８１号公報
【特許文献２】特開平６−２３４４７８号公報
【発明の開示】
【発明が解決しようとする課題】
【０００４】
従来のエレベータドア係合装置の掛り代確認用治具では、係合ローラと測定体の衝突により係合ローラを傷付ける可能性がある。また、測定体が係合ローラに衝突した際に昇降路内に落下してしまう場合もある。また、建物の状況によっては衝突音が聞こえないこともある。一方、測定体のずれにより位置関係を確認するケースでは、どの階床の係合ローラに衝突し、測定体がずれたのかを把握することができず、正常な位置関係にない階床を特定することが難しかった。
【０００５】
また、他の従来技術によれば、くし部と係合装置のギャップを目視測定しながら係合装置の位置を調整するものであり、目視測定のため手間が掛かるという問題があった。
【０００６】
この発明は上記のような課題を解決するためになされたもので、かごの戸の係合板と乗場の戸の係合ローラの掛り代や隙間を簡易的な治具によって適正、安全且つ迅速に据付・点検作業を行うことができるエレベータドア係合装置の据付点検治具を提供することを目的とする。
【課題を解決するための手段】
【０００７】
この発明に係るエレベータドア係合装置の据付点検治具においては、かご側に設けられた係合板と、乗場側に設けられた左右一対の係合ローラとを備え、エレベータが着床した時に係合しかごの戸と乗場の戸を一緒に開閉するエレベータドア係合装置の据付・点検時に用いられるものであって、係合装置のかご側の係合板の構造を模擬しており、かつ左右一対の係合ローラが適正な基準位置範囲に入っているか否かを平面視で確認するための基準線が設けられた測定体を備え、測定体に設けられた基準線は、測定体の両側部に設けられ、左右一対の係合ローラの外側面と係合板の内側面との間の隙間が適正な範囲にあるか否かを確認する片側２本ずつ縦方向に設けられた基準線と、測定体の両側の突出先端部に設けられ、左右一対の係合ローラと係合板との掛り代が適正な範囲にあるか否かを確認する片側１本ずつ横方向に設けられた基準線とからなり、測定体をかごの上部又はかご敷居に着脱自在に取り付けた状態でかごを昇降させ、係合ローラの外側面が片側２本の基準線の間の中に入っていれば隙間が適正状態であり、片側１本の基準線が係合板の前後幅の中に入っていれば掛り代が適正状態であると確認するものである。
【発明の効果】
【０００９】
この発明によれば、測定体を取り付けた状態でかごを昇降させ、測定体に設けられた基準線の適正な基準範囲に係合ローラが位置しているか否かを確認することにより、かごの戸の係合板と乗場の戸の係合ローラの掛り代や隙間を適正、安全且つ迅速に確認することができる。
【発明を実施するための最良の形態】
【００１０】
実施の形態１.
図１はエレベータドア係合装置の据付点検治具が用いられる昇降路の平面図、図２はこの発明の実施の形態１におけるエレベータドア係合装置の据付点検治具を用いた適正状態を示す説明図、図３はこの発明の実施の形態１におけるエレベータドア係合装置の据付点検治具を用いた不適正状態を示す説明図である。
【００１１】
図１において、１は乗場の戸、２はかごの戸、３はかごの戸２側に設けられた係合板、４は乗場の戸１側に設けられた係合ローラ、１１はかご敷居、１２は乗場敷居である。
かごの戸２に設けられた係合板３と乗場の戸１に設けられた係合ローラ４は、エレベータが着床した時に係合し、かごの戸２と乗場の戸１が一緒に開閉する。係合板３と係合ローラ４の配置に狂いが生じると、エレベータの運転中に係合ローラ４と係合板３とが適正に係合せず、いずれかを破損させたり、係合が外れる可能性があった。
【００１２】
このため、図２、図３に示すようなエレベータドア係合装置の据付点検治具を用意する。この据付点検治具は係合板３の構造を模擬した測定体５から成っており、この測定体５を実際の係合板３の取り付け位置に合わせるように、かご上若しくはかご床面の投影した位置に取り付ける。この測定体５は、その両側部に係合ローラ４の外側面と係合板３の内側面との間の隙間Ｄが適正な範囲に入っているか否かを平面視で確認するための基準線５ａが片側２本ずつ縦方向に設けられている。すなわち、係合ローラ４の外側面がこれら片側２本の基準線５ａの間の中に入っていれば適正状態（図２参照）であり、中に入っていなければ不適正状態である。また、測定体５の両側の突出先端部には、係合ローラ４と係合板３との掛り代Ｈが適正な範囲に入っているか否かを平面視で確認するための基準線５ｂが片側１本ずつ横方向に設けられている。すなわち、片側１本の基準線５ｂが係合ローラ４の前後幅の中に入っていれば適正状態（図２参照）であり、片側１本の基準線５ｂが外に出ていれば不適正状態（図３参照）である。そして、測定体５を取り付けた状態でかごを昇降させ、測定体５に設けられた基準線５ａ、５ｂの基準範囲に係合ローラ４が位置しているか否かを確認することができる。これにより、かごの戸２の係合板３と乗場の戸１の係合ローラ４の掛り代や隙間を適正、安全且つ迅速に確認することができる。
【００１３】
このように構成されたエレベータドア係合装置の据付点検治具においては、測定体５を取り付けた状態でかごを昇降させ、測定体５に設けられた基準線５ａ、５ｂの適正な基準範囲に係合ローラ４が位置しているか否かを確認することにより、かごの戸２の係合板３と乗場の戸１の係合ローラ４の掛り代や隙間を適正、安全且つ迅速に確認することができる。
【００１４】
実施の形態２.
図４はこの発明の実施の形態２におけるエレベータドア係合装置の据付点検治具を用いた適正状態を示す説明図、図５はこの発明の実施の形態２におけるエレベータドア係合装置の据付点検治具を用いた不適正状態を示す説明図である。
【００１５】
この実施の形態２におけるエレベータドア係合装置の据付点検治具は、係合板３の構造を模擬した測定体５から成っており、この測定体５を実際の係合板３の取り付け位置に合わせるように、かご上若しくはかご床面の投影した位置に取り付ける。この測定体５は、その両側部に係合ローラ４の外側面と係合板３の内側面との間の隙間Ｄが適正な範囲に入っているか否かを平面視で確認するための基準線５ａが片側２本ずつ縦方向に設けられている。すなわち、係合ローラ４の外側面がこれら片側２本の基準線５ａの間の中に入っていれば適正状態（図４参照）であり、中に入っていなければ不適正状態である。また、測定体５の両側の突出先端部には、係合ローラ４と係合板３との掛り代Ｈが適正な範囲に入っているか否かを確認するための赤外線センサ６が設けられている。すなわち、赤外線センサ６の赤外線が遮断されていれば適正状態（図４参照）であり、赤外線センサ６の赤外線が遮断されていなければ不適正状態（図５参照）である。そして、測定体５を取り付けた状態でかごを昇降させ、測定体５に設けられた基準線５ａの基準範囲に係合ローラ４が位置しているか否かを確認するとともに、赤外線センサ６の赤外線が遮断されているか否かで掛り代を確認することができる。これにより、かごの戸２の係合板３と乗場の戸１の係合ローラ４の掛り代や隙間を適正、安全且つ迅速に確認することができる。
【００１６】
実施の形態３.
図６はこの発明の実施の形態３におけるエレベータドア係合装置の据付点検治具を用いた適正状態を示す説明図である。
【００１７】
この実施の形態３におけるエレベータドア係合装置の据付点検治具は、係合板３の構造を模擬した測定体５から成っており、この測定体５を実際の係合板３の取り付け位置に合わせるように、かご上若しくはかご床面の投影した位置に取り付ける。この測定体５は、その両側部に係合ローラ４の外側面と係合板３の内側面との間の隙間Ｄが適正な範囲に入っているか否かを平面視で確認するための基準線５ａが片側２本ずつ縦方向に設けられている。すなわち、係合ローラ４の外側面がこれら片側２本の基準線５ａの間の中に入っていれば適正状態（図６参照）であり、中に入っていなければ不適正状態である。また、測定体５の両側の突出先端部間には、係合ローラ４と係合板３との掛り代Ｈが適正な範囲に入っているか否かを係合ローラ４と干渉するかどうかで確認するための通し紐７が橋渡されている。すなわち、通し紐７が係合ローラと干渉しなければ適正状態（図６参照）であり、干渉していれば不適正状態である。そして、測定体５を取り付けた状態でかごを昇降させ、測定体５に設けられた基準線５ａの基準範囲に係合ローラ４が位置しているか否かを確認するとともに、通し紐７が係合ローラ４と干渉するかどうかで掛り代を確認することができる。これにより、かごの戸２の係合板３と乗場の戸１の係合ローラ４の掛り代や隙間を適正、安全且つ迅速に確認することができる。
【００１８】
実施の形態４.
図７はこの発明の実施の形態４におけるエレベータドア係合装置の据付点検治具を用いた適正状態を示す説明図である。
【００１９】
この実施の形態４におけるエレベータドア係合装置の据付点検治具は、係合板３の構造を模擬した測定体５から成っており、この測定体５を実際の係合板３の取り付け位置に合わせるように、かご上若しくはかご床面の投影した位置に取り付ける。この測定体５は、その両側部に係合ローラ４の外側面と係合板３の内側面との間の隙間Ｄが適正な範囲に入っているか否かを平面視で確認するための目盛り５ｃが設けられている。すなわち、係合ローラ４の外側面がこれら目盛り５ｃの間の中に入っていれば適正状態（図７参照）であり、中に入っていなければ不適正状態である。また、測定体５の両側の突出先端部には、係合ローラ４と係合板３との位置関係を正確に把握・確認するための目盛り５ｄが設けられている。すなわち、この目盛り５ｄを追加することにより、係合ローラ４と係合板３との位置関係を正確に把握することができる（図７参照）。そして、測定体５を取り付けた状態でかごを昇降させ、測定体５に設けられた目盛り５ｃの範囲に係合ローラ４が位置しているか否かを確認するとともに、目盛り５ｄにより、係合ローラ４と係合板３との位置関係を正確に把握することができる。これにより、かごの戸２の係合板３と乗場の戸１の係合ローラ４の掛り代や隙間を適正、安全且つ迅速に確認することができる。
【００２０】
実施の形態５.
図８はこの発明の実施の形態５におけるエレベータドア係合装置の据付点検治具の取り付け方を示す説明図である。
この実施の形態５におけるエレベータドア係合装置の据付点検治具は、係合板３の構造を模擬した測定体５から成っており、この測定体５を実際の係合板３の取り付け位置に合わせるように、かご上若しくはかご床面の金属部に磁石８により着脱自在に取り付けている。
【００２１】
実施の形態６.
図９はこの発明の実施の形態６におけるエレベータドア係合装置の据付点検治具の取り付け方を示す説明図である。
この実施の形態６におけるエレベータドア係合装置の据付点検治具は、係合板３の構造を模擬した測定体５から成っており、この測定体５の下面に樹脂又はアルミニウムより形成された固定具９を取り付け、測定体５の上から固定具９に取り付けネジ１０を締め込むことにより、固定具９が拡がるのでかご床面のかご敷居１１の溝部に強固に取り付けることが可能である。
【図面の簡単な説明】
【００２２】
【図１】エレベータドア係合装置の据付点検治具が用いられる昇降路の平面図である。
【図２】この発明の実施の形態１におけるエレベータドア係合装置の据付点検治具を用いた適正状態を示す説明図である。
【図３】この発明の実施の形態１におけるエレベータドア係合装置の据付点検治具を用いた不適正状態を示す説明図である。
【図４】この発明の実施の形態２におけるエレベータドア係合装置の据付点検治具を用いた適正状態を示す説明図である。
【図５】この発明の実施の形態２におけるエレベータドア係合装置の据付点検治具を用いた不適正状態を示す説明図である。
【図６】この発明の実施の形態３におけるエレベータドア係合装置の据付点検治具を用いた適正状態を示す説明図である。
【図７】この発明の実施の形態４におけるエレベータドア係合装置の据付点検治具を用いた適正状態を示す説明図である。
【図８】この発明の実施の形態５におけるエレベータドア係合装置の据付点検治具の取り付け方を示す説明図である。
【図９】この発明の実施の形態６におけるエレベータドア係合装置の据付点検治具の取り付け方を示す説明図である。
【符号の説明】
【００２３】
１  乗場の戸
２  かごの戸
３  係合板
４  係合ローラ
５  測定体
５ａ、５ｂ  基準線
５ｃ、５ｄ  目盛り
６  赤外線センサ
７  通し紐
８  磁石
９  固定具
１０  取り付けネジ
１１  かご敷居
１２  乗場敷居
【図１】
0004826224.tif 000002
【図２】
0004826224.tif 000003
【図３】
0004826224.tif 000004
【図４】
0004826224.tif 000005
【図５】
0004826224.tif 000006
【図６】
0004826224.tif 000007
【図７】
0004826224.tif 000008
【図８】
0004826224.tif 000009
【図９】
0004826224.tif 000010